(57)【要約】【課題】後部ステップを利用した走行車体の後部から粉粒体供給装置への粉粒体の補給を行い易くする。【解決手段】走行車体１の後部に、上下揺動式のリンク機構３を介して粉粒体供給装置Ａを昇降可能に装備し、リンク機構３の上方において、走行車体１の後部から粉粒体供給装置Ａに向けて延出する後部ステップ１３を備え、後部ステップ１３の後部に、リンク機構３に備えた上部リンク１５の入り込みを許容する凹部１３Ｂを備えた。【選択図】図２
2014138568.tif 000002
【特許請求の範囲】
【請求項１】
走行車体の後部に、上下揺動式のリンク機構を介して粉粒体供給装置を昇降可能に装備し、
前記リンク機構の上方において、前記走行車体の後部から前記粉粒体供給装置に向けて延出する後部ステップを備え、
前記後部ステップの後部に、前記リンク機構に備えた上部リンクの入り込みを許容する凹部を備えた粉粒体供給作業機の後部構造。
【請求項２】
前記走行車体の後部に、前記後部ステップを支持する補助フレームを備え、
前記補助フレームを、前記リンク機構の揺動支点の上方箇所に左右向きに配備する第１支持部材と、前記上部リンクの真上から左右に外れるように配置した状態で前記第１支持部材から後向きに延出した複数の第２支持部材とから構成した請求項１に記載の粉粒体供給作業機の後部構造。
【請求項３】
前記粉粒体供給装置を、その上部に粉粒体貯留用のホッパを備えるように構成し、
前記粉粒体供給装置の最上昇位置では、少なくとも、前記ホッパの上部に形成した粉粒体補給用の開口が前記後部ステップよりも上方に位置するように構成した請求項１又は２に記載の粉粒体供給作業機の後部構造。
【請求項４】
前記ホッパに、前記開口を閉じる閉じ位置と、前記閉じ位置から後方に揺動変位して前記開口を開放する開き位置とに、前記ホッパの後上端部に備えた左右向きの軸心を支点にして開閉揺動する蓋体を備えた請求項３に記載の粉粒体供給作業機の後部構造。
【請求項５】
前記後部ステップの後端が、平面視において後車輪の車軸と前記後車輪の後端との間の位置に位置するように構成した請求項１〜４のいずれか一つに記載の粉粒体供給作業機の後部構造。
【請求項６】
前記走行車体の後部に、前記粉粒体供給装置への粉粒体補給時に使用する手摺を備え、
前記後部ステップの後端と前記手摺の後端とが、前記走行車体の前後方向において略同じ位置に位置するように構成した請求項１〜５のいずれか一つに記載の粉粒体供給作業機の後部構造。
【請求項７】
前記後部ステップを前下がり傾斜姿勢で備えた請求項１〜６のいずれか一つに記載の粉粒体供給作業機の後部構造。
【請求項８】
前記後部ステップを樹脂製のブロー成型品で構成し、
前記後部ステップに、その上面側と下面側とを接合する複数の接合部を形成した請求項１〜７のいずれか一つに記載の粉粒体供給作業機の後部構造。
【請求項９】
前記接合部を、前記走行車体の後部に備えた後部ステップ支持用の補助フレームと前記後部ステップとの連結箇所に形成し、
前記後部ステップを、その踏面からの前記接合部の凹入深さが、前記補助フレームと前記後部ステップとを連結する連結具の上端が前記踏面から上方に突出しない深さとなるように構成した請求項８に記載の粉粒体供給作業機の後部構造。
【請求項１０】
前記凹部を、前記後部ステップの後端から前方に向けて凹入するように形成し、
前記走行車体の後部に、前記凹部に係入した前記上部リンクを上方から覆うカバー部材を備えた請求項１〜９のいずれか一つに記載の粉粒体供給作業機の後部構造。
【請求項１１】
前記後部ステップを、左右対称形状の２つのステップ部に分割可能な左右２分割構造に構成し、
前記ステップ部を、上下対称形状の左右兼用構造に構成した請求項１０に記載の粉粒体供給作業機の後部構造。
【発明の詳細な説明】
【技術分野】
【０００１】
本発明は、走行車体の後部に、上下揺動式のリンク機構を介して粉粒体供給装置を昇降可能に装備し、前記リンク機構の上方において、前記走行車体の後部から前記粉粒体供給装置に向けて延出する後部ステップを備えた粉粒体供給作業機の後部構造に関する。
【背景技術】
【０００２】
例えば、粉粒体供給作業機の一例である直播機などにおいては、後部ステップを、その走行車体の後部から後方への延出長さが、最上昇位置に位置するリンク機構の上部リンクに後部ステップの後部が干渉しない短い長さになるように構成していた（例えば特許文献１参照）。
【先行技術文献】
【特許文献】
【０００３】
【特許文献１】特開平１１−１２７６１９号公報
【発明の概要】
【発明が解決しようとする課題】
【０００４】
上記の構成では、リンク機構の最上昇位置を高くするほど、リンク機構を最上昇位置まで上昇させた際に粉粒体供給装置を後部ステップに近づけることができる反面、後部ステップの後方への延出長さが短くなることから、後部ステップと粉粒体供給装置との離間距離を短くすることが難しく、後部ステップを利用した走行車体の後部から粉粒体供給装置への粉粒体の補給が行い難くなっていた。
【０００５】
本発明の目的は、後部ステップを利用した走行車体の後部から粉粒体供給装置への粉粒体の補給を行い易くすることにある。
【課題を解決するための手段】
【０００６】
本発明の課題解決手段は、
走行車体の後部に、上下揺動式のリンク機構を介して粉粒体供給装置を昇降可能に装備し、
前記リンク機構の上方において、前記走行車体の後部から前記粉粒体供給装置に向けて延出する後部ステップを備え、
前記後部ステップの後部に、前記リンク機構に備えた上部リンクの入り込みを許容する凹部を備えた。
【０００７】
この手段によると、後部ステップの車体後部から後方への延出長さを長くして、後部ステップの後端を粉粒体供給装置に近づけるようにしても、リンク機構を、その上部リンクが後部ステップの凹部に入り込む高さ位置まで上昇させることができ、その分、粉粒体供給装置を後部ステップに更に近づけることができる。
【０００８】
又、後部ステップを、リンク機構の上部リンクとの干渉を回避するために高く配置する必要がないことから、後部ステップに対する移動が行い易くなる。
【０００９】
更に、後部ステップの踏面が広くなることにより、後部ステップの踏面を粉粒体の仮置き部として利用することが可能になる。
【００１０】
従って、後部ステップを利用した走行車体の後部から粉粒体供給装置への粉粒体の補給を行い易くすることができる。
【００１１】
本発明をより好適なものにするための手段の一つとして、
前記走行車体の後部に、前記後部ステップを支持する補助フレームを備え、
前記補助フレームを、前記リンク機構の揺動支点の上方箇所に左右向きに配備する第１支持部材と、前記上部リンクの真上から左右に外れるように配置した状態で前記第１支持部材から後向きに延出した複数の第２支持部材とから構成した。
【００１２】
この手段によると、補助フレームにリンク機構の上部リンクが干渉する不都合を招くことなく、後部ステップの全体を、補助フレームの第１支持部材と複数の第２支持部材によって安定性良く支持することができる。
【００１３】
本発明をより好適なものにするための手段の一つとして、
前記粉粒体供給装置を、その上部に粉粒体貯留用のホッパを備えるように構成し、
前記粉粒体供給装置の最上昇位置では、少なくとも、前記ホッパの上部に形成した粉粒体補給用の開口が前記後部ステップよりも上方に位置するように構成した。
【００１４】
この手段によると、後部ステップを利用して走行車体の後部から粉粒体供給装置のホッパ内に粉粒体を補給する際に、ホッパの開口が後部ステップよりも下方に位置する場合に比較して、補給作業者の屈み込み量を小さくすることができる。
【００１５】
従って、後部ステップを利用した走行車体の後部から粉粒体供給装置への粉粒体の補給を更に行い易くすることができる。
【００１６】
本発明をより好適なものにするための手段の一つとして、
前記ホッパに、前記開口を閉じる閉じ位置と、前記閉じ位置から後方に揺動変位して前記開口を開放する開き位置とに、前記ホッパの後上端部に備えた左右向きの軸心を支点にして開閉揺動する蓋体を備えた。
【００１７】
この手段によると、後部ステップを利用して走行車体の後部から粉粒体供給装置のホッパ内に粉粒体を補給する際に、蓋体の開閉操作を走行車体の後部から簡単に行うことができる。又、その補給の際に開き位置に位置する蓋体が邪魔になる不都合の発生を回避することができる。
【００１８】
従って、粉粒体補給用の開口を閉じる蓋体を備えながら、後部ステップを利用した走行車体の後部から粉粒体供給装置への粉粒体の補給を行い易くすることができる。
【００１９】
本発明をより好適なものにするための手段の一つとして、
前記後部ステップの後端が、平面視において後車輪の車軸と前記後車輪の後端との間の位置に位置するように構成した。
【００２０】
ところで、例えば、平面視において後部ステップの後端が後車輪の後端と同じ位置又は後車輪の後端よりも後方に位置するように後部ステップの後方への延出長さを長くした場合には、作業高さ位置まで下降させた状態では、左右の後車輪との干渉を回避するために左右の後車輪の後方に位置するように構成した粉粒体供給装置が、その上昇に伴って走行車体の後部に近づく際に、後部ステップの後部に干渉する不都合を招く虞がある。そして、この不都合を回避するためには、リンク機構の長さを長くする必要が生じる。
【００２１】
つまり、後部ステップの後方への延出長さを不必要に長くしても、リンク機構の長さを長くする必要が生じるだけで、リンク機構の上昇揺動に伴って粉粒体供給装置を後部ステップに更に近づけることはできなくなる。
【００２２】
そこで、本発明をより好適なものにするための手段の一つとして、上記のように後部ステップの後方への延出長さを規定しているのであり、これにより、後部ステップの後方への延出長さを不必要に長くすることに起因したリンク機構の大型化を回避することができる。
【００２３】
従って、後部ステップ及びリンク機構の不必要な大型化を回避しながら、後部ステップを利用した走行車体の後部から粉粒体供給装置への粉粒体の補給を行い易くすることができる。
【００２４】
本発明をより好適なものにするための手段の一つとして、
前記走行車体の後部に、前記粉粒体供給装置への粉粒体補給時に使用する手摺を備え、
前記後部ステップの後端と前記手摺の後端とが、前記走行車体の前後方向において略同じ位置に位置するように構成した。
【００２５】
この手段によると、手摺を使用することにより、後部ステップに対する移動が行い易くなり、又、後部ステップを利用して行う粉粒体供給装置に対する粉粒体の補給を、より安定した状態で行うことができる。そして、後部ステップの後端と手摺の後端とが、走行車体の前後方向において略同じ位置に位置することにより、手摺を備えながらも、後部ステップを利用して行う粉粒体供給装置に対する粉粒体の補給を、粉粒体供給装置に最も接近した状態で行うことができる。
【００２６】
従って、後部ステップを利用した走行車体の後部から粉粒体供給装置への粉粒体の補給を更に行い易くすることができる。
【００２７】
本発明をより好適なものにするための手段の一つとして、
前記後部ステップを前下がり傾斜姿勢で備えた。
【００２８】
この手段によると、後部ステップ上の雨水や洗浄水などを、後部ステップの前側から速やかに流下させることができ、これにより、後部ステップ上に雨水や洗浄水などが滞留することに起因した後部ステップの腐食を回避することができる。又、作業時に後部ステップ上の雨水が粉粒体供給装置側に流れて、粉粒体供給装置による圃場への粉粒体の供給に悪影響を及ぼす虞などを回避することができる。
【００２９】
従って、後部ステップの耐久性を向上させることができるとともに、粉粒体供給装置による圃場への粉粒体の供給を良好に行うことができる。
【００３０】
本発明をより好適なものにするための手段の一つとして、
前記後部ステップを樹脂製のブロー成型品で構成し、
前記後部ステップに、その上面側と下面側とを接合する複数の接合部を形成した。
【００３１】
この手段によると、後部ステップを、複数の接合部を形成することによる補強を行いながら、軽量かつ安価に構成することができる。又、複数の接合部を形成するのに伴って得られる複数の凹部を、後部ステップの踏面側に形成することにより、後部ステップの踏面に滑り止め機能を持たせることができる。
【００３２】
従って、後部ステップを、高い強度を有するとともに滑り止め機能を備えた状態で、軽量かつ安価に構成することができる。
【００３３】
本発明をより好適なものにするための手段の一つとして、
前記接合部を、前記走行車体の後部に備えた後部ステップ支持用の補助フレームと前記後部ステップとの連結箇所に形成し、
前記後部ステップを、その踏面からの前記接合部の凹入深さが、前記補助フレームと前記後部ステップとを連結する連結具の上端が前記踏面から上方に突出しない深さとなるように構成した。
【００３４】
この手段によると、後部ステップの接合部を補助フレームに対する連結部に兼用することができる上に、後部ステップを利用して粉粒体供給装置に対する粉粒体の補給を行う際に、足が連結具に引っ掛かる虞を回避することができる。
【００３５】
従って、後部ステップの構成の簡素化を図りながら、後部ステップを利用した走行車体の後部から粉粒体供給装置への粉粒体の補給を良好に行うことができる。
【００３６】
本発明をより好適なものにするための手段の一つとして、
前記凹部を、前記後部ステップの後端から前方に向けて凹入するように形成し、
前記走行車体の後部に、前記凹部に係入した前記上部リンクを上方から覆うカバー部材を備えた。
【００３７】
この手段によると、例えば、上部リンク係入用の凹部を、後部ステップの後部において下方から上方に向けて凹入するように形成する場合に比較して、凹部に対する上部リンクの入り込み量を大きくすることができ、その分、リンク機構の上限位置をより高くすることができ、粉粒体供給装置を後部ステップに更に近づけることができる。
【００３８】
そして、後部ステップの後端から前方に向けて凹入する凹部を、カバー部材によって、カバー部材に上部リンクが干渉する不都合を招くことなく覆い隠すことができる。又、上部リンク及び上部リンクに沿って配索した連係ワイヤや電線などを、カバー部材によって保護することができる。
【００３９】
従って、後部ステップを利用した走行車体の後部から粉粒体供給装置への粉粒体の補給を更に行い易くしながら、上部リンクなどの保護を良好に行うことができる。
【００４０】
本発明をより好適なものにするための手段の一つとして、
前記後部ステップを、左右対称形状の２つのステップ部に分割可能な左右２分割構造に構成し、
前記ステップ部を、上下対称形状の左右兼用構造に構成した。
【００４１】
この手段によると、同じ金型を使用して形成した同一形状の２つのステップ部を、走行車体の後部において、一方を上下反転させた状態で左右に並べて配備することにより、後部ステップを構成することができる。
【００４２】
従って、後部ステップをより簡単かつ安価に構成することができる。
【図面の簡単な説明】
【００４３】
【図１】乗用播種機の左側面図である。
【図２】乗用播種機の平面図である。
【図３】乗用播種機の後部構造を示す要部の左側面図である。
【図４】後部ステップの構成及び支持構造を示す要部の平面図である。
【図５】後部ステップの構成及び支持構造を示す要部の左縦断側面図である。
【図６】後部ステップを利用した車体後部から施肥装置のホッパへの肥料補給状態を示す要部の左側面図である。
【発明を実施するための形態】
【００４４】
以下、本発明を実施するための形態の一例として、本発明に係る粉粒体供給作業機の後部構造を、粉粒体供給作業機の一例である乗用播種機に適用した実施形態を図面に基づいて説明する。
【００４５】
図１及び図２に示すように、本実施形態で例示する乗用播種機は、乗用型の４輪駆動形式に構成した走行車体１の後部に、単動型の油圧シリンダを採用した昇降シリンダ２の作動によって上下揺動するリンク機構３を介して、６条用の播種ユニット４を昇降可能に装備して構成している。
【００４６】
走行車体１は、その前部に防振搭載したエンジン５からの動力を、主変速装置として備えた静油圧式無段変速装置（図示せず）、及び、副変速装置として備えたギア式変速装置（図示せず）、などを介して、その前部に配備した左右の前車輪６、及び、その後部に配備した左右の後車輪７に伝達するように構成している。走行車体１の後部側には、搭乗ステップ８、前輪操舵用のステアリングホイール９、及び、前後方向に位置調節可能な運転座席１０、などを配備して搭乗運転部１１を形成している。走行車体１の左右には、搭乗面積を左右に拡張する左右の拡張ステップ１２を配備している。搭乗運転部１４の後方には、リンク機構３及び左右の後車輪７などの上方において、走行車体１の後部から播種ユニット４に向けて延出する後部ステップ１３を配備している。
【００４７】
図１〜４及び図６に示すように、リンク機構３は、走行車体１の後部フレーム１４に上下揺動可能に連結した上部リンク１５と左右の下部リンク１６、及び、それらの遊端部である後端部にわたる縦リンク１７、などを備えて、平行リンク形式に構成している。
【００４８】
図１〜３及び図６に示すように、播種ユニット４は、リンク機構３の縦リンク１７に連結した支持フレーム１８に、粉粒体供給装置Ａの一例である６条用の播種装置１９、粉粒体供給装置Ａの一例である６条用の施肥装置２０、粉粒体供給装置Ａの一例である薬剤散布装置２１、作業走行時に作業対象の圃場泥面を整地する３つの整地フロート２２、現在の作業走行経路での作業走行に伴って隣接する次回の作業走行経路での作業走行時に使用する走行指標を圃場泥面に形成する左右のマーカ２３、及び、作業走行に伴って圃場に排水溝を形成する左右一対の溝切具２４、などを備えて構成している。
【００４９】
図１、図２及び図６に示すように、播種装置１９は、粉粒体の一例である鉄コーティング処理が施された種籾を３条分ずつ貯留する左右のホッパ２５、対応するホッパ２５から所定量の種籾を間欠的に繰り出す６基の繰出機構２６、及び、対応する繰出機構２６が繰り出した種籾を該繰出機構２６の真下に位置する整地後の圃場泥面に流下案内する６つの案内具２７、などを備えて構成している。そして、外部伝動軸２８などを介して伝達される走行車体１からの作業用の動力によって各繰出機構２６が作動することにより、所定量の種籾を１株分として前後方向に所定間隔をあけながら６条分の播種を行う点播式の６条用に構成している。
【００５０】
種籾貯留用のホッパ２５には、その上部に形成した種籾補給用の開口を閉じる閉じ位置と、その閉じ位置から前方に揺動変位して開口を開放する開き位置とに、ホッパ２５の前上端部に備えた左右向きの軸心を支点にして開閉揺動する蓋体２９を備えている。
【００５１】
施肥装置２０は、粉粒体の一例である粒状の肥料を３条分ずつ貯留する左右のホッパ３０、対応するホッパ３０から所定量の肥料を間欠的に繰り出す６基の繰出機構３１、対応する繰出機構２６が繰り出した肥料を流下案内する案内ホース３２、及び、整地後の圃場泥面に施肥溝を形成して対応する案内ホース３２が案内した肥料を圃場に埋没させる６つの作溝器３３、などから構成して播種装置１９の前方に配備している。そして、外部伝動軸２８などを介して伝達される走行車体１からの作業用の動力によって各繰出機構３１が作動することにより、６条分の施肥を行うように構成している。
【００５２】
肥料貯留用のホッパ３０には、その上部に形成した種籾補給用の開口を閉じる閉じ位置と、その閉じ位置から後方に揺動変位して開口を開放する開き位置とに、ホッパ３０の後上端部に備えた左右向きの軸心を支点にして開閉揺動する蓋体３４を備えている。
【００５３】
図１及び図２に示すように、薬剤散布装置２１は、粉粒体の一例である粉状の除草剤などの薬剤を貯留するホッパ３５、及び、ホッパ３５から所定量の薬剤を間欠的に繰り出して圃場に散布する電動式の散布機構３６、などから構成して播種装置１９の後方に配備している。そして、上部リンク１５に沿って配索した電線（図示せず）などを介して伝達される走行車体１からの電力によって散布機構３６が作動することにより、６条分の作業領域に薬剤を散布するように構成している。
【００５４】
図１及び図３〜６に示すように、後部フレーム１４における左右の横外側部には、丸パイプ鋼材などからなる左右の支持部材３７を連結している。各支持部材３７は、側面視の形状が略Ｌ字状で、それらの上部３７Ａがリンク機構３の揺動支点Ｐ１，Ｐ２の上方箇所において横外方に向けて延出するように屈曲形成している。そして、左右の支持部材３７には、それらの上部３７Ａにわたるように後部ステップ支持用の補助フレーム３８を架設している。補助フレーム３８は、角パイプ鋼材からなる左右向きの第１支持部材３９、及び、第１支持部材３９から後上向きに延出する状態となるように第１支持部材３９に溶接したチャンネル鋼材からなる６本の第２支持部材４０、などによって、後部ステップ１３を下方から受け止め支持するように構成している。第１支持部材３９は、後部フレーム１４におけるリンク機構３の揺動支点Ｐ１，Ｐ２の上方箇所に左右向きの姿勢で位置するように左右の支持部材３７の上部３７Ａに連結している。各第２支持部材４０は、左右方向に一定間隔をあけた状態で、上部リンク１５の真上から左右に外れるように上部リンク１５の真上を基準にして左右に振り分け配置している。
【００５５】
図１〜６に示すように、左右の拡張ステップ１２において、それらの外枠を形成する丸パイプ鋼材からなる枠部材４１には、後上方に向けて延出する支持部４１Ａを屈曲形成している。又、各支持部４１Ａには、帯板鋼材からなる支持部材４２を立設している。そして、左右それぞれの支持部４１Ａの上端と支持部材４２の上端とに、後部ステップ１３における拡張ステップ１２の後方箇所を下方から受け止め支持する板金製の支持台４３を溶接している。左右の支持台４３は、その前端が左右の拡張ステップ１２の後端と一致又は略一致するように配置している。
【００５６】
後部ステップ１３は、走行車体１の後部に装備した状態では、平面視において、その前端が左右の支持台４３の前端と一致又は略一致し、かつ、その後端が、左右の後車輪７の車軸４４と左右の後車輪７の後端との中間位置よりも後端側に位置する状態となるように、所定の前後長さを有するように構成している。又、その左端が、施肥装置２０における左側のホッパ３０の左端と一致又は略一致し、かつ、その右端が、施肥装置２０における右側のホッパ３０の右端と一致又は略一致する状態となるように、所定の左右幅を有するように構成している。
【００５７】
上記の構成から、後部ステップ１３は、走行車体１の後部に装備した状態では、その前端が左右の拡張ステップ１２の後端と一致又は略一致するようになっている。これにより、左右の拡張ステップ１２と後部ステップ１３との間での移動が行い易くなっている。又、施肥装置２０の左右幅と同じ又は略同じ左右幅を有する状態で、走行車体１の後部から施肥装置２０のホッパ３０の近くまで延出するようになっている。これにより、走行車体１の後部から施肥装置２０の各ホッパ３０に肥料を補給する場合には、後部ステップ１３を踏台として利用することにより、その肥料補給を容易に行うことができる。又、後部ステップ１３の踏面が広くなることから、後部ステップ１３の踏面を袋入りの種籾や肥料などの仮置き部として利用することができる。
【００５８】
図１、図３、図５及び図６に示すように、後部ステップ１３は、後部ステップ上の雨水や洗浄水などを後部ステップ１３の前側から流下させるために、走行車体１の後部に装備した状態では、その流下を可能にする勾配を有する前下がり傾斜姿勢となるように構成している。これにより、後部ステップ上に雨水や洗浄水などが滞留することに起因した後部ステップ１３の腐食を回避することができる。又、作業走行時に後部ステップ上の雨水が播種ユニット側に流れて、播種ユニット４による圃場への播種や施肥などに悪影響を及ぼす虞などを回避することができる。
【００５９】
図１〜４及び図６に示すように、後部ステップ１３の前部には、搭乗運転部１１の搭乗運転領域を確保するための第１凹部１３Ａを形成している。後部ステップ１３の後部には、施肥装置２０の各ホッパ３０を車体後部に近づけるためにリンク機構３を上限位置まで上昇揺動させた際に、上部リンク１５の入り込みを許容して上部リンク１５との干渉を防止する第２凹部１３Ｂを、後部ステップ１３の後端から前方に向けて凹入するように形成している。又、その第２凹部１３Ｂに係入した上部リンク１５を上方から覆う板金製のカバー部材４５を装備している。
【００６０】
そして、後部ステップ１３に第１凹部１３Ａを形成したことにより、平面視において、後部ステップ１３の前端が左右の拡張ステップ１２の後端と一致又は略一致するように構成しながら、搭乗運転部１１での運転に後部ステップ１３が支障を来す虞を回避している。
【００６１】
又、後部ステップ１３に第２凹部１３Ｂを形成したことにより、リンク機構３の上限位置を、リンク機構３の上部リンク１５が後部ステップ１３の後部に干渉することを回避しながら、より高くすることができる。これにより、後部ステップ１３を利用して走行車体１の後部から施肥装置２０の各ホッパ３０に肥料を補給する場合には、施肥装置２０の各ホッパ３０を後部ステップ１３に更に近づけることができる。
【００６２】
更に、カバー部材４５を設けたことにより、カバー部材４５にリンク機構３の上部リンク１５が干渉する不都合を招くことなく、第２凹部１３Ｂをカバー部材４５によって覆い隠すことができる。又、上部リンク１５及び上部リンク１５に沿って配索した電線などを、カバー部材４５によって保護することができる。
【００６３】
図１、図２及び図６に示すように、走行車体１の後部には、後部ステップ１３に対する移動を行う場合や、後部ステップ１３を利用して走行車体１の後部から施肥装置２０の各ホッパ３０に肥料を補給する場合に使用する手摺４６を備えている。手摺４６は、側面視の形状が略下向きＵ字状となるように屈曲形成した丸パイプ鋼材などからなる左右の横手摺部材４７、及び、それらの後端上部にわたるように架設した丸パイプ鋼材などからなる後手摺部材４８、により構成している。
【００６４】
左右の横手摺部材４７は、それらの前端部を後部フレーム１４の対応する横側部に連結している。又、それらの後端部を左右の対応する支持部材３７の上部３７Ａに連結している。そして、それらにおいて後部ステップ１３よりも上方に位置する上部側が、後部ステップ１３の横側端よりも横外側に位置するように構成している。これにより、後部ステップ１３に対する移動領域となる運転座席１０と各横手摺部材４７の上部側との間を広くすることができ、後部ステップ１３に対する移動を行い易くすることができる。
【００６５】
後手摺部材４８は、それらの後端が後部ステップ１３の後端と走行車体１の前後方向において略同じ位置に位置するように構成している。これにより、後部ステップ１３を利用して走行車体１の後部から施肥装置２０の各ホッパ３０に肥料を補給する場合には、後部ステップ１３における施肥装置２０の各ホッパ３０に対する最接近位置まで無理なく移動することができ、その最接近位置から施肥装置２０の各ホッパ３０に対する肥料補給を行うことができる。
【００６６】
施肥装置２０の各ホッパ３０は、後部ステップ１３に第２凹部１３Ｂを形成したことにより、リンク機構３を上限位置まで上昇させた場合に得られる施肥装置２０の最上昇位置では、各ホッパ３０の開口が、後部ステップ１３よりも上方に移動して、手摺４６の後上端部に近い高さ位置に位置するようになっている。これにより、走行車体１の後部から施肥装置２０の各ホッパ３０に肥料を補給する場合には、肥料袋を手摺４６の後上端部に乗せた状態で行うことが可能になり、よって、肥料補給に要する労力を軽減することができる。
【００６７】
又、前述したように、施肥装置２０における各ホッパ３０の開口を開閉する蓋体３４を、各ホッパ３０の後上端部に備えた左右向きの軸心を支点にして開閉揺動するように構成したことにより、走行車体１の後部からの各蓋体３４の開閉操作が行い易くなるとともに、車体後部から施肥装置２０の各ホッパ３０への肥料補給の際に、開き位置に位置する蓋体３４が邪魔になる不都合の発生を回避することができる。
【００６８】
図１〜６に示すように、後部ステップ１３は、左右のステップ部４９に分割可能な左右２分割構造に構成している。左右のステップ部４９は、それらの隣接端側の前部に第１凹部形成用の第１切欠部４９Ａを備え、かつ、隣接端側の後部に第２凹部形成用の第２切欠部４９Ｂを備えるように形成した樹脂製のブロー成型品で構成している。そして、それらにおける補助フレーム３８の各第２支持部材４０との対向箇所には前後２カ所ずつ、又、左右の支持台４３との対向箇所には１カ所ずつ、それらの上面側と下面側とを接合することによって補強する接合部４９Ｃを形成し、これらの接合部４８Ｃが、各第２支持部材４０及び各支持台４３とのボルト連結部を兼ねるように構成している。各ステップ部４９の上下両面には、それらの前部側に端部を備える補強用の周縁部４９Ｄと、横長の複数の補強リブ４９Ｅとを上下方向に突出形成している。
【００６９】
各接合部４９Ｃは、各ステップ部４９において、それらの上面からの凹入深さと下面からの凹入深さとが同じになり、又、左側のステップ部４９での配置と右側のステップ部４９での配置とが左右対称となるように形成している。周縁部４９Ｄは、各ステップ部４９において、それらの上面側での形状と下面側での形状とが上下対称となり、又、左側のステップ部４９での形状と右側のステップ部４９での形状とが左右対称となるように形成している。各補強リブ４９Ｅは、各ステップ部４９において、それらの上面側での形状と下面側での形状とが上下対称となり、又、左側のステップ部４９での形状と右側のステップ部４９での形状とが左右対称となるように形成している。又、それらの上面側での配置と下面側での配置とが上下対称となり、又、左側のステップ部４９での配置と右側のステップ部４９での配置とが左右対称となるように千鳥状に配置している。
【００７０】
つまり、後部ステップ１３を、左右対称形状の２つのステップ部４９に分割可能な左右２分割構造に構成し、かつ、ステップ部４９を、上下対称形状の左右兼用構造に形成している。これにより、左右のステップ部４９を、同じ金型を使用して安価に成型することができる。又、同じ金型を使用して形成した同一形状の２つのステップ部４９を、走行車体１の後部において、一方を上下反転させた状態で左右に並べて配備することにより、後部ステップ１３を簡単に構成することができる。そして、この後部ステップ１３においては、各接合部４９Ｃの上面側と、上面側の各周縁部４９Ｄ及び各補強リブ４９Ｅとが、後部ステップ１３の踏面での滑りを防止する滑止部として機能するようになっている。又、各ステップ部４９の周縁部４９Ｄをステップ部４９の前部側に端部を備えるように形成し、かつ、各補強リブ４９Ｅを千鳥状に配置したことにより、それらを滑止部として機能させながらも、後部ステップ上の雨水や洗浄水などを後部ステップ１３の前側から流下させることができる。
【００７１】
図１、図３、図５及び図６に示すように、左右のステップ部４９は、それらの前部側において前端側ほど上下幅が狭くなる先窄まり形状が得られるように、上下両面の前部側を同じ勾配で傾斜させている。これにより、ステップ部４９の上下いずれの面を後部ステップ１３の踏面に使用した場合であっても、後部ステップ上の雨水や洗浄水などの後部ステップ１３の前側からの流下を促進させることができる。
【００７２】
図４及び図５に示すように、各ステップ部４９において、それらの上下各面からの各接合部４９Ｃの凹入深さは、補助フレーム３８の各第２支持部材４０又は左右の支持台４３にステップ部４９を連結する連結具としてのボルト５０の頭部が、各ステップ部４９の踏面から上方に突出しない深さに設定している。これにより、後部ステップ１３を利用して走行車体１の後部から施肥装置２０の各ホッパ３０に肥料を補給する場合に、足がボルト５０の頭部に引っ掛かる虞を回避することができる。
【００７３】
図５に示すように、補助フレーム３８の各第２支持部材４０及び左右の支持台４３は、それらの左右の支持台４３との連結箇所に、それらの連結箇所に対応するステップ部４９における接合部４９Ｃの凹入深さと同じ長さを有する丸パイプ鋼材からなるスペーサ５１を立設している。これにより、補助フレーム３８の各第２支持部材４０及び左右の支持台４３に各ステップ部４９をボルト連結する場合に、補助フレーム３８の各第２支持部材４０及び左右の支持台４３に対する各ステップ部４９の位置決めを簡単に行うことができる。又、そのボルト連結の際に、各ステップ部４９の各接合部４９Ｃが下向きに変形するなどの不都合の発生を防止することができる。
【００７４】
図２及び図４に示すように、カバー部材４５は、補助フレーム３８における後部ステップ１３の第２凹部１３Ｂに隣接する２つの第２支持部材４０と後部ステップ１３とのボルト連結箇所に共締め連結している。これにより、後部ステップ１３にカバー部材専用の連結部を形成する場合に比較して、後部ステップ１３を簡単な形状で安価に構成することができる。
【００７５】
〔別実施形態〕
【００７６】
〔１〕粉粒体供給作業機としては、走行車体１の後部に上下揺動式のリンク機構３を介して粉粒体供給装置Ａの一例である播種装置１９のみを昇降可能に装備した乗用播種機、播種装置１９に加えて粉粒体供給装置Ａの一例である施肥装置２０を昇降可能に装備した乗用播種機、播種装置１９に加えて粉粒体供給装置Ａの一例である薬剤散布装置２１を昇降可能に装備した乗用播種機、粉粒体供給装置Ａの一例である施肥装置２０のみを昇降可能に装備した乗用施肥機、施肥装置２０として側条用のものと深層用のものとを昇降可能に装備した乗用施肥機、施肥装置２０に加えて粉粒体供給装置Ａの一例である薬剤散布装置を昇降可能に装備した乗用施肥機、又は、粉粒体供給装置Ａの一例である薬剤散布装置のみを昇降可能に装備した乗用薬剤散布機、などであってもよい。
【００７７】
〔２〕粉粒体供給装置Ａとしては、最上昇位置において、そのホッパ上部の開口が手摺４６の後上端部と同じ高さ位置、又は、手摺４６の後上端部よりも高い位置に位置するように形成したものであってもよい。
【００７８】
〔３〕粉粒体供給装置Ａの作業条数は種々の変更が可能であり、後部ステップ１３の左右幅は、粉粒体供給装置Ａの作業条数に応じて種々の変更が可能である。
【００７９】
〔４〕リンク機構３としては、左右一対の上部リンク１５を備えるものであってもよい。この場合、後部ステップ１３の後部に、左右の上部リンク１５に対応する２つの凹部１３Ｂを形成するようにしてもよく、又、左右の上部リンク１５の入り込みを許容する単一の凹部１３Ｂを形成するようにしてもよい。
【００８０】
〔５〕後部ステップ１３としては、樹脂製の射出成型品で構成したものであってもよく、又、板金製のプレス成型品で構成したものであってもよい。
【００８１】
〔６〕後部ステップ１３としては、３つ以上に分割可能に構成したものであってもよく、又、分割不能に構成したものであってもよい。
【００８２】
〔７〕後部ステップ１３としては、その後端が、平面視において後車輪７の車軸４４と後車輪７の後端との中間位置に位置するように構成したものであってもよく、又、その中間位置よりも前側に位置するように構成したものであってもよい。
【００８３】
〔８〕後部ステップ１３を、走行車体１の後部に水平姿勢で備えるように構成してもよい。
【００８４】
〔９〕凹部１３Ｂとしては、後部ステップ１３の後部において後部ステップ１３の下面から上向きに凹入するように形成したものであってもよい。この場合、凹部１３Ｂが上部リンク１５を上方から覆うカバーとなるように構成してもよい。
【００８５】
〔１０〕補助フレーム３８としては、第１支持部材３９がリンク機構３の揺動支点Ｐ１，Ｐ２の上方箇所から前後方向に外れた位置に位置するように構成したものであってもよい。又、複数の第２支持部材４０として、平面視矩形の枠状に形成した左右一対のものを備えるように構成したものであってもよい。
【００８６】
〔１１〕車体後部から粉粒体の補給を行う粉粒体貯留用のホッパ３０に備える蓋体３４としては、ホッパ３０に着脱可能に構成したものであってもよく、又、左右方向に開閉移動するように構成したものであってもよい。
【００８７】
〔１２〕手摺４６の構成及び形状などは種々の変更が可能であり、例えば、手摺４６の後端が、後部ステップ１３の後端よりも車体前側あるいは車体後側に位置するように構成してもよい。又、手摺４６を後部ステップ１３に立設するように構成してもよい。
【００８８】
〔１３〕走行車体１の後部に手摺４６を装備しないように構成してもよい。
【００８９】
〔１４〕後部ステップ１３の各接合部４９Ｃとしては、後部ステップ１３の上面から下面に向けて凹入するように形成したものであってもよい。
【００９０】
〔１５〕カバー部材４５の材質や形状などは種々の変更が可能であり、例えば、ゴム板や帆布などから構成するようにしてもよい。
【００９１】
〔１６〕連結具５０としてビスやリベットなどを採用してもよい。
【産業上の利用可能性】
【００９２】
本発明に係る粉粒体供給作業機の後部構造は、走行車体の後部に上下揺動式のリンク機構を介して粉粒体供給装置としての播種装置や施肥装置あるいは薬剤散布装置など昇降可能に装備した乗用播種機や乗用施肥機あるいは乗用薬剤散布機などに適用することができる。
【符号の説明】
【００９３】
１      走行車体
３      リンク機構
７      後車輪
１３    後部ステップ
１３Ｂ  凹部
１５    上部リンク
３０    ホッパ
３４    蓋体
３８    補助フレーム
３９    第１支持部材
４０    第２支持部材
４４    車軸
４５    カバー部材
４６    手摺
４９    ステップ部
４９Ｃ  接合部
５０    連結具
Ａ      粉粒体供給装置
Ｐ１    揺動支点
Ｐ２    揺動支点
【図１】
2014138568.tif 000003
【図２】
2014138568.tif 000004
【図３】
2014138568.tif 000005
【図４】
2014138568.tif 000006
【図５】
2014138568.tif 000007
【図６】
2014138568.tif 000008